(57)【要約】【課題】  シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備える圧縮機であって、吸入弁先端の破損が防止された圧縮機を提供する。【解決手段】  シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備え、弁板の吸入弁先端に対峙する部位に凹部が形成されている。【選択図】  図２
2005248871.tif 000002
【特許請求の範囲】
【請求項１】
シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備え、弁板の吸入弁先端に対峙する部位に凹部が形成されていることを特徴とする圧縮機。
【請求項２】
シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備え、シリンダボアの吸入弁に対峙する一端周壁に、吸入弁の開弁時に吸入弁先端部が当接する底面を有する吸入弁開度規制凹部が形成された圧縮機であって、吸入弁開度規制凹部の底面の吸入弁先端に対峙する部位に凹部が形成されていることを特徴とする圧縮機。
【請求項３】
前記凹部の吸入弁先端近傍部に対峙する縁が面取り加工されていることを特徴とする請求項１に記載の圧縮機。
【請求項４】
前記底面に形成された凹部の吸入弁先端近傍部に対峙する縁が面取り加工されていることを特徴とする請求項２に記載の圧縮機。
【発明の詳細な説明】
【技術分野】
【０００１】
本発明は、シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備える圧縮機に関し、更には上記構成に加えて、シリンダボアの吸入弁に対峙する一端周壁に、吸入弁の開弁時に吸入弁先端部が当接する底面を有する吸入弁開度規制凹部が形成された圧縮機に関するものである。
【背景技術】
【０００２】
シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備え、シリンダボアの吸入弁に対峙する一端周壁に、吸入弁の開弁時に吸入弁先端部が当接する平坦な底面を有する吸入弁開度規制凹部が形成された圧縮機が、特許文献１の図１３〜１５に開示されている。
【特許文献１】実公平３−３５８９９号公報
【発明の開示】
【発明が解決しようとする課題】
【０００３】
特許文献１の図１３〜図１５に記載された圧縮機には、開閉時に鞭状に撓む吸入弁の先端が吸入弁開度規制凹部の底面と弁板とに衝突し破損するという問題がある。
本発明は上記問題に鑑みてなされたものであり、シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備える圧縮機であって、更には上記構成に加えて、シリンダボアの吸入弁に対峙する一端周壁に、吸入弁の開弁時に吸入弁先端部が当接する底面を有する吸入弁開度規制凹部が形成された圧縮機であって、吸入弁先端の破損が防止された圧縮機を提供することを目的とする。
【課題を解決するための手段】
【０００４】
上記課題を解決するために、本発明においては、シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備え、弁板の吸入弁先端に対峙する部位に凹部が形成されていることを特徴とする圧縮機を提供する。
また本発明においては、シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備え、シリンダボアの吸入弁に対峙する一端周壁に、吸入弁の開弁時に吸入弁先端部が当接する底面を有する吸入弁開度規制凹部が形成された圧縮機であって、吸入弁開度規制凹部の底面の吸入弁先端に対峙する部位に凹部が形成されていることを特徴とする圧縮機を提供する。
本発明に係る圧縮機においては、弁板の吸入弁先端に対峙する部位に凹部が形成されているので閉弁時に吸入弁の先端は弁板に衝突せず、或いは、吸入弁開度規制凹部の底面の吸入弁先端に対峙する部位に凹部が形成されているので開弁時に吸入弁の先端は吸入弁開度規制凹部の底面に衝突しない。従って、吸入弁の先端は破損しない。吸入弁の先端近傍部は、開弁時に吸入弁開度規制凹部底面の前記凹部近傍の部位に当接するので、開弁時の吸入弁の自励振動は防止される。
【０００５】
本発明の好ましい態様においては、弁板に形成された凹部、吸入弁開度規制凹部の底面に形成された凹部の、吸入弁先端近傍部に対峙する縁が面取り加工されている。
弁板に形成された凹部、吸入弁開度規制凹部の底面に形成された凹部の、吸入弁先端近傍部に対峙する縁を面取り加工することにより、開閉時に前記縁に当接する吸入弁先端近傍部の損傷が防止される。
【発明の効果】
【０００６】
本発明に係る圧縮機においては、弁板の吸入弁先端に対峙する部位に凹部が形成されているので閉弁時に吸入弁の先端は弁板に衝突せず、或いは、吸入弁開度規制凹部の底面の吸入弁先端に対峙する部位に凹部が形成されているので開弁時に吸入弁の先端は吸入弁開度規制凹部の底面に衝突しない。従って、吸入弁の先端は破損しない。
【発明を実施するための最良の形態】
【０００７】
本発明の実施例に係る斜板式圧縮機を説明する。
【実施例１】
【０００８】
図１に示すように、柱状のシリンダブロック１の両端を覆って、フロントハウジング２とシリンダヘッド３とが配設されている。フロントハウジング２の内部にクランク室４が形成され、シリンダブロック１の内部に周方向に互いに間隔を隔てて複数のシリンダボア５が形成されている。クランク室４内に、斜板６が配設されている。斜板６の中心に駆動軸７が挿通されている。駆動軸７は、図示しないベアリングを介して、フロントハウジング２とシリンダブロック１とに回転可能に支持されている。
駆動軸７に、ローター８が固定されている。ローター８は、スラストベアリング９を介してフロントハウジング２に支持されている。
斜板６は、リンク機構１０を介して、駆動軸７に対する傾角変動可能に、且つローター８に対する駆動軸７回りの相対回転不能に、ローター８に連結されている。
【０００９】
斜板６に、シュー１１を介してピストン１２が係合している。ピストン１２は、駆動軸７と平行に延在し、シリンダボア５に往復摺動可能に挿入されている。
【００１０】
シリンダヘッド３の内部に、吸入室１３と吐出室１４とが画成されている。シリンダヘッド３に形成された吸入ポート３ａが吸入室１３に連通している。シリンダヘッド３に形成された図示しない吐出ポートが吐出室１４に連通している。
シリンダブロック１とシリンダヘッド３とに挟持されてガスケット１５と弁板１６とが配設されている。弁板１６には、シリンダボア５と吸入室１３とに連通する円形の吸入孔１６ａと、シリンダボア５と吐出室１４とに連通する円形の吐出孔１６ｂとが形成されている。
弁板１６は、吸入室１３から離隔する側で吸入孔１６ａを開閉する吸入弁１７と、吐出室１４側で吐出孔１６ｂを開閉する吐出弁１８とを装備している。吸入弁１７、吐出弁１８は、内外の圧力差により面外方向へ弾性変形して吸入孔１６ａ、吐出孔１６ｂを開閉する帯板状のリード弁として構成されている。
【００１１】
弁板１６は、シリンダブロック１と協働して吸入弁１７の基部を挟持固定すると共に、吸入弁１７の吸入孔１６ａに対峙する部位の面外変形を許容している。
図２に示すように、弁板１６の吸入弁１７先端に対峙する部位に凹部１６ｃが形成されている。凹部１６ｃの吸入弁１７先端近傍部に対峙する縁１６ｃ′は円弧状に面取り加工されている。
シリンダボア５の吸入弁１７に対峙する一端周壁に、吸入弁１７の開弁時に吸入弁１７の先端部が当接する底面５ｂを有する吸入弁開度規制凹部５ａが形成されている。図２に示すように、底面５ｂの吸入弁１７先端に対峙する部位に凹部５ｃが形成されている。凹部５ｃの吸入弁１７先端近傍部に対峙する縁５ｃ′は円弧状に面取り加工されている。
【００１２】
本実施例に係る斜板式圧縮機の作動を以下に説明する。
図示しない外部駆動源によって駆動軸７が回転駆動され、駆動軸７の回転に伴って斜板６が回転する。斜板６の回転に伴って、ピストン１２がシリンダボア５内を往復移動する。ピストン１２の往行移動に伴い、ボア５内の圧力が低下し、吸入弁１７が弁板１６から離れて吸入孔１６ａが開く。図２（ａ）に一点鎖線で示すように、鞭状に撓んだ吸入弁１７の先端近傍部が、吸入弁開度規制凹部５ａの底面５ｂに形成された凹部５ｃの縁５ｃ′とその近傍部とに当接することにより、吸入弁１７の開度が規制される。凹部５ｃに対峙する吸入弁１７の先端は、凹部５ｃの底面まで届かず、凹部５ｃの底面に衝突しない。
【００１３】
外部冷凍回路から吸入ポート３ａを通って吸入室１３へ流入した冷媒ガスが、吸入孔１６ａを通ってボア５内に吸入され、ボア５内で圧縮される。冷媒ガスの圧縮が開始されると、ボア５の内圧が上昇し、吸入弁１７の先端近傍部が吸入弁開度規制凹部５ａの底面５ｂから離れ、吸入弁が弁板１６に当接して吸入孔１６ａが閉じる。図２（ａ）に一点鎖線で示すように、吸入弁１７が弁板１６に当接する際、吸入弁１７の先端近傍部は、弁板１６に形成された凹部１６ｃの縁１６ｃ′に当接するが、凹部１６ｃに対峙する吸入弁１７の先端は、凹部１６ｃの底面まで届かず、凹部１６ｃの底面に衝突しない。
ボア５内の冷媒ガス圧が上昇し、吐出弁１８の面外変形可能な部位の先端が弁板１６から離れて吐出孔１６ｂが開く。ボア５内の加圧冷媒ガスは、吐出孔１６ｂを通って吐出室１４へ吐出し、吐出室１４から図示しない吐出ポートを通って外部冷凍回路へ流出する。
【００１４】
本実施例に係る斜板式圧縮機においては、弁板１６の吸入弁１７先端に対峙する部位に凹部１６ｃが形成されているので、閉弁時に吸入弁１７の先端は弁板１６に衝突しない。また、吸入弁開度規制凹部底面５ｂの弁板１７先端に対峙する部位に凹部５ｃが形成されているので、開弁時に吸入弁１７の先端は吸入弁開度規制凹部５ａの底面５ｂに衝突しない。従って、吸入弁１７の先端は破損しない。
吸入弁１７の先端近傍部は、開弁時に吸入弁開度規制凹部底面５ｂに形成した凹部５ｃの縁５ｃ′とその近傍部とに当接するので、開弁時の吸入弁１７の自励振動は防止される。
弁板１６に形成された凹部１６ｃの吸入弁先端近傍部に対峙する縁１６ｃ′と、吸入弁開度規制凹部底面５ｂに形成された凹部５ｃの吸入弁先端近傍部に対峙する縁５ｃ′とが円弧状に面取り加工されているので、開閉時に前記縁５ｃ′、１６ｃ′に当接する吸入弁１７先端近傍部が受ける衝撃力が緩和され、当該部の損傷が防止される。
【実施例２】
【００１５】
実施例１において、凹部５ｃ、１６ｃの縁５ｃ′、１６ｃ′を直線状に面取り加工しても良い。全く面取り加工しない場合に比べれば、開閉時に吸入弁１７先端近傍部が受ける衝撃力が緩和される。
【実施例３】
【００１６】
凹部５ｃ、１６ｃは、図２（ａ）に示すように吸入弁１７の先端とその近傍部に比較的狭く対峙しても良く、或いは、図３に示すように、吸入弁１７の先端とその近傍部に比較的広く対峙しても良い。
【産業上の利用可能性】
【００１７】
本発明は斜板式圧縮機に限らず、シリンダボアを有するシリンダブロックと、シリンダボア内で往復移動するピストンと、シリンダボアへ被圧縮流体を導く吸入孔とシリンダボア内の被圧縮流体をシリンダボア外へ導く吐出孔とが形成された弁板と、吸入孔を開閉する帯板状の吸入弁と、吐出孔を開閉する帯板状の吐出弁とを備える種々の圧縮機に適用可能であり、更には、上記構成に加えてシリンダボアの吸入弁に対峙する一端周壁に、吸入弁の開弁時に吸入弁先端部が当接する底面を有する吸入弁開度規制凹部が形成された種々の圧縮機に適用可能である。
【図面の簡単な説明】
【００１８】
【図１】本発明の第１実施例に係る斜板式圧縮機の断面図である。
【図２】本発明の第１実施例に係る斜板式圧縮機が備える吸入弁と近傍部材の構造図である。（ａ）は図１の部分拡大図であり、（ｂ）は（ａ）のｂ−ｂ矢視図であり、（ｃ）は（ａ）のｃ−ｃ矢視図である。
【図３】本発明の第３実施例に係る斜板式圧縮機の、図２（ａ）に相当する図である。
【符号の説明】
【００１９】
１  シリンダブロック
２  ハウジング
３  シリンダヘッド
４  クランク室
５  シリンダボア
５ａ  吸入弁開度規制凹部
５ｂ  底面
５ｃ  凹部
５ｃ′  縁
６  斜板
１２  ピストン
１３  吸入室
１４  吐出室
１６  弁板
１６ａ  吸入孔
１６ｂ  吐出孔
１６ｃ  凹部
１６ｃ′  縁
１７  吸入弁
１８  吐出弁
【図１】
2005248871.tif 000003
【図２】
2005248871.tif 000004
【図３】
2005248871.tif 000005